(57)【要約】【課題】個人情報を開示せずに、複数のユーザ間でグループを形成し、ファイル共有ができる携帯端末装置を提供する。【解決手段】ニックネームとキーワードとを操作部２０から入力し、ニックネーム及びキーワードと共にファイル共有要求を他の携帯電話装置に送信する。受信側の携帯端末装置において、ファイル共有グループ操作アプリケーション１７は、該受信したファイル共有要求からニックネームとキーワードとを抽出し、ニックネームとキーワードとをファイル共有要求の送信元として、ファイル共有の許可選択の表示を行う表示部１９にて行い、ファイル共有が許可された送信元をファイル共有グループデータベース１８にて登録する。ファイル共有要求を受信した携帯端末装置は、ニックネーム及びキーワードからファイル公開の是非を選択する。電話番号やメールアドレスの開示が躊躇される相手ともファイル共有を実施できる。【選択図】図１
2007005921.tif 000002
【特許請求の範囲】
【請求項１】
永続的ではなく一時的に使用者を特定することが可能である第１の文字列と、永続的ではなく一時的な目的を特定することが可能である第２の文字列とを入力する入力部と、
前記第１の文字列と前記第２の文字列とともにファイル共有要求を電文として送信する送信部と、
前記ファイル共有要求の受信部と、
前記受信したファイル共有要求から、送信電文に含まれる前記第１の文字列と前記第２の文字列とを抽出する抽出部と、
前記抽出した第１の文字列と第２の文字列とを前記ファイル共有要求の送信元として、ファイル共有の許可選択の表示を行う表示部と、
ファイル共有が許可された前記送信元を登録する登録部と、
を備える携帯端末装置。
【請求項２】
請求項１に記載の携帯端末装置であって、
前記登録部は、ファイル共有が許可された前記送信元の前記第１の文字列と携帯端末装置の物理通信インタフェースの識別子とを対応付けて登録する携帯端末装置。
【請求項３】
請求項２に記載の携帯端末装置であって、
前記登録部は、ファイル共有が許可された複数の前記送信元をグループとして登録し、前記表示部は、前記グループに属する携帯端末装置を前記第１の文字列で一覧表示する携帯端末装置。
【請求項４】
請求項３に記載の携帯端末装置であって、
前記登録部は、前記グループを複数登録し、前記グループ毎に、前記送信元を登録する携帯端末装置。
【請求項５】
請求項３または４に記載の携帯端末装置であって、
前記登録部が前記グループに登録する携帯端末装置を追加したことにより前記グループが更新されたとき、更新された前記グループに登録されている全ての携帯端末装置に、更新された前記グループの登録情報を同報的に通知する携帯端末装置。
【請求項６】
請求項３に記載の携帯端末装置であって、
予め設定された一定時間が経過すると、前記グループの登録情報を破棄する携帯端末装置。
【請求項７】
請求項３に記載の携帯端末装置であって、
前記グループの登録情報が破棄される時間を選択し、前記選択された時間が経過すると、前記グループの登録情報を破棄する携帯端末装置。
【請求項８】
永続的ではなく一時的に使用者を特定することが可能である第１の文字列と、永続的ではなく一時的な目的を特定することが可能である第２の文字列とを入力する入力ステップと、
前記第１の文字列と前記第２の文字列とともにファイル共有要求を電文として送信する送信ステップと、
前記ファイル共有要求を受信する受信ステップと、
前記受信したファイル共有要求から、送信電文に含まれる前記第１の文字列と前記第２の文字列とを抽出する抽出ステップと、
前記抽出した第１の文字列と第２の文字列とを前記ファイル共有要求の送信元として、ファイル共有を許可するか否かを選択する選択ステップと、
ファイル共有が許可された前記送信元を登録する登録ステップと、
を有する携帯端末装置のファイル共有方法。
【発明の詳細な説明】
【技術分野】
【０００１】
本発明は、複数の装置間でファイルを共有する携帯電話等の携帯端末装置と、そのファイル共有方法に関し、携帯端末装置間で一時的なグループを形成してファイルを共有するようにしたものである。
【背景技術】
【０００２】
従来、携帯電話装置等の携帯端末装置間でファイルを共有する場合に、メールにファイルを添付して送信したり、ファイルを格納した記憶媒体を交換したり、あるいは、ユーザ認証無しで赤外線通信により近距離の装置間でファイルを転送することが行われている。
【０００３】
また、下記特許文献１には、特定のグループに属する複数の携帯電話装置に格納された公開ファイルの情報を収集するサーバと、そのグループの携帯電話装置とをネットワークで接続した電子情報共有システムが開示されている。このシステムへの加入を希望するユーザは、携帯電話装置からユーザＩＤ、パスワード、名前、住所、メールアドレス等を送信し、システムへの登録後に、グループに公開するファイルの保持情報を登録する。サーバは、グループに属する携帯電話装置に対して公開ファイルの一覧を提供し、携帯電話装置から公開ファイルの配信要求あると、公開ファイルを保持する携帯電話装置の中から最適な配信元を指定し、指定された携帯電話装置から要求元の携帯電話装置に公開ファイルが送信される。
【０００４】
また、下記特許文献２には、インターネット上で複数のユーザが情報交換するグループを形成、管理するためのグループ形成システムが開示されている。このシステムでは、携帯電話装置から、ユーザの名前や送信元ＩＰアドレスがユーザの個人情報や嗜好情報とともにサーバに送られ、サーバは、各人の個人情報や嗜好情報を蓄積し、これを所定の分類基準に基づいて分類して、ユーザの属すべきグループを決定し、その決定結果をユーザに通知する。
【特許文献１】特開２００４−１７２８１８号公報
【特許文献２】特開２００２−２４５２１２号公報
【発明の開示】
【発明が解決しようとする課題】
【０００５】
人間には、同じ目的を持つ人に保有情報を見せたい欲求と、その人の持っている情報を見たいと言う欲求とがある。しかし、あまり親しくない間柄の人に対しては、互いに持っている情報を交換し、共有したい気持ちと、電話番号やメールアドレスなど個人を特定する情報は開示したくない、と言う気持ちとが交錯する。
【０００６】
例えば、訪れた観光地で他の観光客と名所案内情報を交換したり、災害地でボランティア同士が支援情報を交換したり、あるいは、歌手のコンサート会場でファン同士が取得情報を交換する場合等である。
【０００７】
こうした場合のファイル共有方法として、添付ファイルをメール送信する方法は、個人を特定するメールアドレスを知る必要があるため、適さない。また、記録媒体を交換する方法は、ファイルの共有を特定のユーザの間だけで行う場合に、記録媒体が該当するユーザだけに渡るように物理的に管理することが難しい。また、ユーザ認証無しで赤外線通信を利用する方法は、ファイル送信を行うと、赤外線通信が届く距離でファイル受信設定を行っている全ての携帯電話装置へファイルが転送されてしまうため、特定の相手にファイル共有を許可する手段としては適さない。
【０００８】
また、特許文献１及び特許文献２に記載されたシステムは、電話番号やメールアドレスなど個人を特定する情報を開示したくない場合には利用できない。また、これらのシステムでは、グループを管理するサーバが必要であり、サーバと接続できない環境ではグループへの参加ができない。
【０００９】
本発明は、こうした事情に鑑みてなされたものであり、電話番号やメールアドレスなど個人を特定する情報を開示すること無く、複数のユーザ間でグループを形成し、そのグループ内でファイルを共有することができる携帯端末装置と、そのファイル共有方法とを提供することを目的としている。
【課題を解決するための手段】
【００１０】
本発明の携帯端末装置は、永続的ではなく一時的に使用者を特定することが可能である第１の文字列と、永続的ではなく一時的な目的を特定することが可能である第２の文字列とを入力する入力部と、前記第１の文字列と前記第２の文字列とともにファイル共有要求を電文として送信する送信部と、前記ファイル共有要求の受信部と、前記受信したファイル共有要求から、送信電文に含まれる前記第１の文字列と前記第２の文字列とを抽出する抽出部と、前記抽出した第１の文字列と第２の文字列とを前記ファイル共有要求の送信元として、ファイル共有の許可選択の表示を行う表示部と、ファイル共有が許可された前記送信元を登録する登録部とを備えている。
【００１１】
この構成により、ファイル共有を求める携帯端末装置は、第１の文字列としてニックネームを、第２の文字列としてキーワードを入力してファイル共有要求を送信し、ファイル共有要求を受信した携帯端末装置は、ニックネーム及びキーワードから、ファイル共有要求の送信元にファイルを公開するか否かを選択することができる。
【００１２】
また、本発明の携帯端末装置は、前記登録部が、ファイル共有が許可された前記送信元の前記第１の文字列と携帯端末装置の物理通信インタフェースの識別子とを対応付けて登録するものを含む。
【００１３】
この構成により、ＴＣＰ／ＩＰ（Transmission Control Protocol／Internet Protocol）のパケット通信を利用して端末装置間でデータ伝送が行われる場合には、ファイル共有要求の送信元のニックネームと、このファイル共有要求を受信した携帯端末装置により送信元に割り当てられたＩＰアドレスとが対応付けて登録することができる。
【００１４】
また、本発明の携帯端末装置は、前記登録部が、ファイル共有が許可された複数の前記送信元をグループとして登録し、前記表示部は、前記グループに属する携帯端末装置を前記第１の文字列で一覧表示するものを含む。
【００１５】
この構成により、あるグループに登録されている構成員を一覧表示し、その一覧の中からニックネームで特定される構成員の携帯端末装置で公開されるフォルダを選択して、ファイルを参照することができる。
【００１６】
また、本発明の携帯端末装置は、前記登録部が、前記グループを複数登録し、前記グループ毎に、前記送信元を登録するものを含む。
【００１７】
この構成により、目的に応じてグループを形成し、その目的に応じた公開フォルダを選択することができる。
【００１８】
また、本発明の携帯端末装置は、前記登録部が前記グループに登録する携帯端末装置を追加したことにより前記グループが更新されたとき、更新された前記グループに登録されている全ての携帯端末装置に、更新された前記グループの登録情報を同報的に通知するものを含む。
【００１９】
この構成により、あるグループに属する構成員は、そのグループに属する全ての構成員に割り当てられたＩＰアドレスを知ることができ、そのグループの構成員が公開するフォルダを参照することができる。
【００２０】
また、本発明の携帯端末装置は、予め設定された一定時間が経過すると、前記グループの登録情報を破棄するものを含む。
【００２１】
この構成により、期間を限ってファイル共有を行うことが可能になる。
【００２２】
また、本発明の携帯端末装置は、前記グループの登録情報が破棄される時間を選択し、前記選択された時間が経過すると、前記グループの登録情報を破棄するものを含む。
【００２３】
この構成により、ファイル共有の目的に応じて、その期間を設定することができる。
【００２４】
また、本発明の携帯端末装置のファイル共有方法は、永続的ではなく一時的に使用者を特定することが可能である第１の文字列と、永続的ではなく一時的な目的を特定することが可能である第２の文字列とを入力する入力ステップと、前記第１の文字列と前記第２の文字列とともにファイル共有要求を電文として送信する送信ステップと、前記ファイル共有要求を受信する受信ステップと、前記受信したファイル共有要求から、送信電文に含まれる前記第１の文字列と前記第２の文字列とを抽出する抽出ステップと、前記抽出した第１の文字列と第２の文字列とを前記ファイル共有要求の送信元として、ファイル共有を許可するか否かを選択する選択ステップと、ファイル共有が許可された前記送信元を登録する登録ステップとを有している。
【００２５】
この方法により、ニックネームとキーワードとを入力してファイル共有要求が行われ、ファイル共有要求を受信した携帯端末装置では、ニックネーム及びキーワードから、ファイル共有要求の送信元にファイルを公開するか否かを選択することができる。
【発明の効果】
【００２６】
本発明によれば、電話番号、メールアドレスなどの個人を特定する情報を開示すること無く、携帯端末装置に保持されたファイルの共有を実現することができる。
【００２７】
そのため、電話番号やメールアドレスなどの開示が躊躇される相手ともファイル共有を行うことができ、ファイル共有の利用性を拡げることができる。
【発明を実施するための最良の形態】
【００２８】
図１は、本発明の実施形態における携帯電話装置の構成を示すブロック図である。
【００２９】
この装置は、通信アンテナ１０と、近距離用物理通信インタフェース１１と、通信制御部１２と、ＴＣＰ／ＩＰプロトコル部１３と、ファイル共有プロトコル部１４と、ファイルシステム１５と、ファイル操作アプリケーション１６と、ファイル共有グループ操作アプリケーション１７と、ファイル共有グループデータベース１８と、表示部１９と、操作部２０とを備えている。
【００３０】
この携帯電話装置は、無線ＬＡＮやBluetooth等の無線方式により端末同士が直接通信するアドホックネットワーク（ad hoc network）を一時的に形成して、ファイルを共有する。
【００３１】
通信アンテナ１０は、電波を利用して別の携帯電話装置と直接情報通信を行うことができ、基地局との情報通信は必ずしも必須ではない。
【００３２】
近距離用物理通信インタフェース１１は、通信アンテナ１０を介して送受信するデータに対し、無線通信方式に応じた変復調等の通信処理を行う。通信制御部１２は、近距離用物理通信インタフェース１１を介して行われる通信の制御を行う。
【００３３】
ＴＣＰ／ＩＰプロトコル部１３は、他の携帯電話装置とＴＣＰ／ＩＰ規格に基づくパケット通信を行うために、ＴＣＰ／ＩＰ規格に則って、他の携帯電話装置に送信するデータをパケットに生成し、他の携帯電話装置より受信したパケットからデータを再構築する。  通信アンテナ１０、近距離用物理通信インタフェース１１、通信制御部１２、ＴＣＰ／ＩＰプロトコル部１３より、送信部、受信部が構成される。
【００３４】
ファイルシステム１５は、ファイル等を階層的に管理する。
【００３５】
ファイル共有プロトコル部１４は、ファイルを共有する他の携帯電話装置がファイルシステム１５を参照することに許可を与え、また、ファイルシステム１５へのデータの読み込み・書き込み等を制御する。
【００３６】
ファイル共有グループ操作アプリケーション１７は、携帯電話装置に割り当てたＩＰアドレスとニックネームとを対応付けて、ＩＰアドレス・ニックネーム対応情報として管理し、グループとそれに属する携帯電話装置のＩＰアドレスとを対応付けてグループ加入者情報として管理するアプリケーションである。ＩＰアドレス・ニックネーム対応情報の具体例は、後述する図７のＩＰアドレス・ニックネーム対応テーブル８０であり、グループ加入者情報の具体例は、後述する図８の公開ファイル・ＩＰアドレス対応テーブル９０である。ただし、これら情報の形式は図７、図８のものには限定されない。
【００３７】
ファイル共有グループデータベース（登録部）１８は、ＩＰアドレス・ニックネーム対応情報とグループ加入者情報とを記憶する。
【００３８】
ファイル操作アプリケーション１６は、ファイルシステム１５のファイルを操作するためのアプリケーションである。表示部１９は、携帯電話装置の表示を行う。操作部２０は、例えばテンキーや機能キー等を有し、携帯電話装置の各機能を実行するための操作入力を受け付ける入力部を含む。
【００３９】
ここで、本実施形態における他の装置に対するファイル共有は、例えば、通信ネットワーク経由の分散ファイルシステムであるネットワークファイルシステム（ＮＦＳ）を用いて行われる。
【００４０】
次に、本実施形態のファイル共有方法について説明する。
【００４１】
例えば、携帯電話装置Ａが他の携帯電話装置Ｂのファイルシステム１５に管理されているファイルの共有を要求する場合、携帯電話装置Ａの使用者は、ファイル共有のグループに参加するために、自己を表すニックネームと、ファイル共有の目的を表すキーワードとを設定し、このニックネーム及びキーワードを含むＩＰアドレス取得要求を全ての携帯電話装置に同報的に送信する（ブロードキャスト）。ニックネームは、個人が特定されることを避けるために名前に代えて設定される。また、キーワードは、ファイル共有の目的を携帯電話装置Ｂの使用者に知らせるために設定される。
【００４２】
ＩＰアドレス取得要求待ちの状態にある携帯電話装置Ｂは、携帯電話装置ＡからのＩＰアドレス取得要求を受信すると、受信したニックネームをグループに登録するか否か判断し、登録する場合に、ニックネームにＩＰアドレスを割り当て、このＩＰアドレスを含む応答を携帯電話装置Ａに返す。
【００４３】
図１０のフロー図は、ファイル共有のためのＩＰアドレスを割り当てるまでの手順について示している。ここでは、携帯電話装置Ａをクライアント側、携帯電話装置Ｂをサーバ側としている。携帯電話装置Ａ及び携帯電話装置Ｂは、共に図１の構成を有しており、構造的には両者は変わりがない。
【００４４】
まず、携帯電話装置Ａの使用者は、グループに参加するためのニックネームとキーワードとを決定し（ステップＳ１）、操作部２０を操作して、ファイル共有グループ操作アプリケーション１７を起動し、ファイル共有のためのニックネーム及びキーワードの入力画面を呼び出してニックネームとキーワードとを入力する（ステップＳ２）。
【００４５】
このとき、図２に示すニックネーム及びキーワードの登録画面３０が表示部１９に表示され、使用者は、操作部２０からニックネームとキーワードとを入力する。ここでは、ニックネームとして“Ｈｅｌｌｏ”を登録し、キーワードとして“金沢兼六園の写真”を登録したものとする。ニックネームは、永続的ではなく一時的に使用者を特定することが可能である文字列より構成され、キーワードは永続的ではなく一時的な目的を特定することが可能である文字列より構成される。ただし、文字列は純粋な文字に限られず、使用者、目的を特定できるものであれば、記号等の如きものでもよい。
【００４６】
ニックネーム及びキーワードを入力の後、ＴＣＰ／ＩＰプロトコル部１３、通信制御部１２、近距離物理通信インタフェース１１、及び通信アンテナ１０を介して、ファイル共有に必要なＩＰアドレス取得要求がＩＰネットワークへ同報的に送信される（ステップＳ３）。
【００４７】
一方、携帯電話装置Ｂの使用者は、予め、操作部２０を操作してファイル共有グループ操作アプリケーション１７を起動し、ファイル共有のグループを選択するための表示画面（ファイル共有グループ選択画面）を呼び出して、携帯電話装置Ｂのファイルシステム１５に記憶されたファイルを公開するグループを選択する（ステップＳ１０）。
【００４８】
このとき、図３に示すファイル共有グループ選択画面４０が表示部１９に表示され、使用者は、例えば“一時的グループ”４２を選択する。
【００４９】
ファイル共有グループが選択されると、携帯電話装置Ｂのファイル共有グループ操作アプリケーション１７は、当該グループに対してＩＰアドレスを割り当てる（ステップＳ１１）。
【００５０】
当該グループにＩＰアドレスを新規に割り当てる際、既に利用されているネットワークを利用しないように、他のグループで使用されているＩＰアドレスと異なるアドレスを設定する。既に利用されているネットワークを利用しないことにより、当該グループに属する携帯電話装置間での同報的な送信が可能となる。ここでは、“一時的グループ”に対して“192.168.1”を割り当てたものとする。
【００５１】
当該グループ用のＩＰアドレスを割り当てた後、携帯電話装置Ｂは、携帯電話装置Ａ等からのファイル共有のためのＩＰアドレス取得要求を待つ（ステップＳ１２）。
【００５２】
次に、携帯電話装置Ｂのファイル共有グループ操作アプリケーション１７は、携帯電話装置Ａからファイル共有のためのＩＰアドレス取得要求を受信した際、ＩＰアドレス取得要求の通信電文に含まれるニックネームとキーワードとを抽出し、図４に示すファイル共有許可選択画面５０に、携帯電話装置Ａにより指定されたニックネーム５２とキーワード５４とを記入し、このファイル共有許可選択画面を表示部１９に表示する。これを見た携帯電話装置Ｂの使用者は、ニックネーム５２とキーワード５４とから、携帯電話装置Ａのグループへの参加を許可するか否かを選択する（ステップＳ１３）。予め、携帯電話装置Ａの使用者と携帯電話装置Ｂの使用者とが、グループ参加のためのニックネームを相互認識している場合は、ニックネームによりファイル共有を許可するか否かを判断することができ、また、ニックネームを相互認識していない場合は、キーワードがグループ参加の目的を示しているかどうかにより、ファイル共有を許可するか否かを判断することができる。
【００５３】
次に、ステップＳ１３において、携帯電話装置Ｂの使用者が、図４のファイル共有許可選択画面５０の“はい”５５を選択して、携帯電話装置Ａのグループへの参加を許可した場合には、ファイル共有グループ操作アプリケーション１７は、予め選択したファイル共有グループに携帯電話装置Ａのニックネームを登録し、図５に示す“一時的グループ”のグループメンバー確認画面６０に携帯電話装置Ａのニックネームである“Ｈｅｌｌｏ”６５を新規追加して表示部１９に表示する。携帯電話装置Ｂの使用者は、このグループメンバー確認画面６０から携帯電話装置Ａの“一時的グループ”への新規参加を確認することができる（ステップＳ１４）。
【００５４】
また、ステップＳ１３において、携帯電話装置Ｂの使用者が、図４のファイル共有許可選択画面５０の“いいえ”５６を選択して、携帯電話装置Ａのグループへの参加を拒否した場合には、ファイル共有グループ操作アプリケーション１７は、図６に示すグループ参加拒否画面７０にニックネーム“Ｈｅｌｌｏ”７３を表示する。携帯電話装置Ｂの使用者は、このグループ参加拒否画面７０から、携帯電話装置Ａのグループ参加を拒否したことを確認することができる。
【００５５】
ファイル共有グループに携帯電話装置Ａのニックネームを登録した場合、携帯電話装置Ｂのファイル共有グループ操作アプリケーション１７は、携帯電話装置Ａのニックネームに対応するＩＰアドレスを割り当てて、図７に示すニックネームとＩＰアドレスとを対応付けたＩＰアドレス・ニックネーム対応テーブル８０に、携帯電話装置ＡのニックネームとＩＰアドレスとの対応のエントリを追加する。ここでは、“Ｈｅｌｌｏ”に対して“192.168.1.15”を割り当てたものとする。
【００５６】
このＩＰアドレス・ニックネーム対応テーブル８０は、ファイル共有グループデータベース１８に記憶され、グループに含まれる携帯電話装置が、そのニックネームとＩＰアドレスとを対応付けた形式で携帯電話装置Ｂに保存される。また、携帯電話装置Ｂは、携帯電話装置Ａに割り当てたＩＰアドレス“192.168.1.15”を携帯電話装置Ａへの返信電文に含めて携帯電話装置Ａへの応答を送信する（ステップＳ１５）。なお、ステップＳ１３においてグループへの参加を拒否した場合は、その旨が携帯電話装置Ｂから携帯電話装置Ａに応答される。
【００５７】
次に、携帯電話装置Ｂのファイル共有グループ操作アプリケーション１７は、図８に示すファイルシステム公開のディレクトリと公開対象となるＩＰアドレスとを対応付けた公開ファイル・ＩＰアドレス対応テーブル９０に、携帯電話装置Ａに割り当てたＩＰアドレスを追加する（ステップＳ１６）。
【００５８】
なお、このテーブルに記載するファイルシステム公開のディレクトリは、後述する公開フォルダの選択処理（図１７のステップＳ１１１〜ステップＳ１１３）に基づいて設定される。この公開ファイル・ＩＰアドレス対応テーブル９０は、ファイル共有グループデータベース１８に記憶され、グループに含まれるＩＰアドレスとそのグループに対して公開するファイルシステムのディレクトリとが対応付けられた形式で携帯電話装置Ｂに保存される。
【００５９】
次に、携帯電話装置Ｂは、図７の“一時的グループ”用のＩＰアドレス・ニックネーム対応テーブル８０を、グループに登録されている全ての携帯電話装置に対して同報的に送信する（ステップＳ１７）。この情報は、ＩＰアドレスが“192.168.1”のネットワークに属する全ての携帯電話装置に送信され、この中には、携帯電話装置Ａも含まれる。
【００６０】
ファイル共有のためのＩＰアドレス取得要求をＩＰネットワークに対して同報的に送信した携帯電話装置Ａは、携帯電話装置Ｂが携帯電話装置Ａに対して送信したステップＳ１５の電文を、ＩＰアドレス取得要求に対する返信電文として受信し、割り当てられたＩＰアドレス“192.168.1.15”を抽出する（ステップＳ４）。このステップにより、携帯電話装置ＡのＩＰアドレスが確定する。
【００６１】
次に、ＩＰアドレスが設定された携帯電話装置Ａは、携帯電話装置Ｂがグループに登録されている全ての携帯電話装置に対し、ブロードキャストアドレスを付して同報的に送信したステップＳ１７の電文を受信する。ファイル共有グループ操作アプリケーション１７は、“一時的グループ”に登録されている全てのニックネームとＩＰアドレスとを抽出し、ファイル共有グループデータベース１８に記憶する（ステップＳ５）。このステップにより、携帯電話装置Ａは、携帯電話装置Ａが参加する“一時的グループ”の全ての携帯電話装置のニックネームとＩＰアドレスとを認識する。
【００６２】
なお、携帯電話装置は、複数のグループへ参加することが可能である。各々のグループへ登録したときの携帯電話装置のＩＰアドレスは、図９に示すグループ名と自端末ＩＰアドレスとを対応付けた参加グループ・ＩＰアドレス対照テーブル１００として、ファイル共有グループデータベース１８に記憶される。
【００６３】
ＩＰアドレスを取得した携帯電話装置Ａの使用者は、携帯電話装置Ｂのファイルシステムで保持された公開フォルダを参照することが可能になる。
【００６４】
図１７のフロー図は、携帯電話装置Ａがファイルシステムの参照を要求し、携帯電話装置Ｂがファイルシステムの公開を行う手順について示している。
【００６５】
まず、携帯電話装置Ａの使用者は、操作部２０を操作して、ファイル共有グループ操作アプリケーション１７を起動し、図９の参加グループ・ＩＰアドレス対照テーブル１００に登録されたグループの１つを選択する（ステップＳ１０１）。ここでは“一時的グループ”を選択したものとする。
【００６６】
携帯電話装置Ａのファイル共有グループ操作アプリケーション１７は、図１４に示す共有ファイル公開・参照選択画面１４０を表示部１９に表示し、一時的グループ１４１に対する公開１４２か参照１４３かを選択させる。携帯電話装置Ａの使用者が参照１４３を選択すると、図１５に示す参照先選択画面１５０により、一時的グループ１４１に登録されている携帯電話装置のニックネーム一覧を表示する。使用者は、一時的グループに登録されている携帯電話装置の中から参照したい携帯電話装置をニックネームで選択する（ステップＳ１０２）。
【００６７】
次に、携帯電話装置Ａは、選択されたニックネームに相当する携帯電話装置に対して、ファイル参照要求を発行する。この時、図７に示すＩＰアドレス・ニックネーム対応テーブル８０を参照して、ニックネームに相当するＩＰアドレスを検索し、抽出したＩＰアドレスに対してファイル参照要求を発行する（ステップＳ１０３）。
【００６８】
一方、携帯電話装置Ｂの使用者は、操作部２０を操作して、ファイル共有グループ操作アプリケーション１７を起動し、予め登録されたグループの中からファイルシステムを公開するグループを一つ選択する（ステップＳ１１０）。ここでは“一時的グループ”を選択したものとする。
【００６９】
ファイル共有グループ操作アプリケーション１７は、図１１の共有ファイル公開・参照選択画面１１０を表示部１９に表示し、一時的グループ１１１に対する公開１１２か参照１１３かを選択させ、携帯電話装置Ｂの使用者が公開１１２を選択すると、図１２に示す公開フォルダ選択画面１２０により、ファイルシステム１５に格納されたフォルダの一覧を表示する。使用者は、この公開フォルダ選択画面１２０から一時的グループに公開するフォルダを選択する（ステップＳ１１１）。
【００７０】
次に、携帯電話装置Ｂのファイル共有グループ操作アプリケーション１７は、図１３に示すフォルダ公開確認画面１３０を表示し、携帯電話装置Ｂの使用者は、選択したフォルダを公開するか否かを選択する（ステップＳ１１２）。
【００７１】
フォルダ公開確認画面１３０において、“はい”１３２を選択した場合（ステップＳ１１３のｙｅｓ）、“一時的グループ”に登録されている全ての携帯電話装置に対して、選択されたフォルダを公開し、当該グループに登録されている携帯電話装置からのファイル参照要求受信を開始する（ステップＳ１１４）。フォルダ選択画面１３０において、“いいえ”１３３を選択した場合、当該グループに登録されている全ての携帯電話に対して、選択されたフォルダの公開を拒否する（ステップＳ１１３のｎｏ）。
【００７２】
携帯電話装置ＡがステップＳ１０３で発行したファイル参照要求を受信した携帯電話装置Ｂは、送信元の携帯電話装置Ａが当該グループに登録されているか否か、即ちファイル公開を許可する携帯電話装置か否かを判断する（ステップＳ１１５）。
【００７３】
携帯電話装置Ａがファイル公開を許可する携帯電話装置である場合（ステップＳ１１５のｙｅｓ）、ファイル共有プロトコル部１４が、図８の公開ファイル・ＩＰアドレス対応テーブル９０に基づいて、携帯電話装置Ａのファイル参照を許可し（ステップＳ１１６）、携帯電話装置Ａは、所望のファイルを参照する（ステップＳ１０４）。
【００７４】
携帯電話装置Ａがファイル公開を許可する携帯電話装置でない場合（ステップＳ１１５のｎｏ）、携帯電話装置Ａに対してファイル参照を拒否し、再び、ファイル参照要求を受信するステップ（ステップＳ１１４）へ戻る。
【００７５】
なお、携帯電話装置Ａがファイル参照要求を発行した携帯電話装置においてフォルダを公開していない場合は、その携帯電話装置からの応答に基づいて、図１６に示すファイルアクセス拒否画面が携帯電話装置Ａに表示される。携帯電話装置Ａの使用者は、この表示により、選択したニックネームに対応付けられている携帯電話装置のファイルアクセスが拒否されたことを認識できる。
【００７６】
また、ファイル共有のためのグループは、予め定められた時間が経過すると、自動的に消滅し、ファイル共有が停止され、ファイルの公開・参照を不可能にすることができる。
【００７７】
図１８のフロー図は、ファイル共有を停止する手順について示している。
【００７８】
携帯電話装置Ｂの使用者は、操作部２０を操作して、ファイル共有グループ操作アプリケーション１７を起動し、図３のファイル共有グループ選択画面４０を呼び出してファイル共有のためのグループを予め選択する（ステップＳ２１０）。ステップＳ２１０は、図１０のステップＳ１０に相当する。ここでは“一時的グループ”４２が選択されたものとする。
【００７９】
携帯電話装置Ｂは、選択されたグループの存続する時間を設定することが可能であり、携帯電話装置Ｂの使用者は、グループを形成する目的に応じてグループの存続時間を指定する（ステップＳ２１１）。なお、使用者がグループの存続時間を明示的に指定しない場合は、予め携帯電話装置Ｂに設定されているグループ存続時間（例えば、１時間）が適用される。
【００８０】
次に、携帯電話装置Ｂは、携帯電話装置Ａからファイル共有のためのＩＰアドレス取得要求を受信する（ステップＳ２１２）。ステップＳ２１２は、図１０のステップＳ１２に相当する。
【００８１】
次に、携帯電話装置Ｂにおいて設定したグループ存続時間が経過した場合に、携帯電話装置Ｂは、当該グループに属する全ての携帯電話装置（携帯電話装置Ａを含む）に対し、グループ破棄の通知を行う（ステップＳ２１３）。
【００８２】
次に、携帯電話装置Ｂのファイル共有グループ操作アプリケーション１７は、ファイル共有グループデータベース１８に記憶されている、図７のＩＰアドレス・ニックネーム対応テーブルを破棄し（ステップＳ２１４）、ファイル公開サービスを停止し（ステップＳ２１５）、ＩＰアドレス取得要求受信サービスを停止する(ステップＳ２１６)。
【００８３】
一方、グループ破棄の通知を受信した（ステップＳ２０１）携帯電話装置Ａは、携帯電話装置Ｂと同様に、ファイル共有グループ操作アプリケーション１７が、ファイル共有グループデータベース１８に記憶されている図７のＩＰアドレス・ニックネーム対応テーブルを破棄し（ステップＳ２０２）、ファイル公開サービスを停止し（ステップＳ２０３）、ＩＰアドレス取得要求受信サービスを停止する（ステップＳ２０４)。
【００８４】
こうして予め定められた時間が経過すると、携帯電話装置の使用者の操作を介さずに、グループは自動的に消滅し、ファイルの公開、参照は不可能となり、一時的なファイル共有は終了する。
【００８５】
このように、このファイル共有方法は、一時的な利用用途に適したファイル共有手段を提供することが可能となる。
【００８６】
なお、ここでは、基地局との情報通信を必須とせずに、携帯電話装置間で直接情報通信を行う無線方式として、無線ＬＡＮ及びBluetoothを挙げたが、それだけに限定されない。
【００８７】
また、実施形態で示した表示画面の表示内容及びレイアウトは、いずれも一例であって、それに限るものではない。
【００８８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００８９】
本発明は、携帯電話装置やＰＤＡ等の携帯端末装置におけるファイル共有の利用性を高めることが可能であり、これら装置の機能向上を図る上で極めて有用である。
【図面の簡単な説明】
【００９０】
【図１】本発明の実施形態に係る携帯電話装置の概略構成を示す図
【図２】本発明の実施形態に係るニックネームとキーワードとの入力画面を示す図
【図３】本発明の実施形態に係るファイル共有グループ選択画面を示す図
【図４】本発明の実施形態に係るファイル共有グループへの参加確認画面を示す図
【図５】本発明の実施形態に係るファイル共有グループのメンバー確認画面を示す図
【図６】本発明の実施形態に係るファイル共有グループへの参加拒否画面を示す図
【図７】本発明の実施形態に係るＩＰアドレス・ニックネーム対応テーブルを示す図
【図８】本発明の実施形態に係る公開ファイル・ＩＰアドレス対応テーブルを示す図
【図９】本発明の実施形態に係る参加グループ・ＩＰアドレス対照テーブルを示す図
【図１０】本発明の実施形態に係るファイル共有のためのＩＰアドレス取得方法を示すフロー図
【図１１】本発明の実施形態に係る共有ファイル公開・参照選択画面を示す図（公開選択の例）
【図１２】本発明の実施形態に係る公開フォルダ選択画面を示す図
【図１３】本発明の実施形態に係るフォルダ公開確認画面を示す図
【図１４】本発明の実施形態に係る共有ファイル公開・参照選択画面を示す図（参照選択の例）
【図１５】本発明の実施形態に係るファイル参照先選択画面を示す図
【図１６】本発明の実施形態に係るファイルアクセス拒否画面を示す図
【図１７】本発明の実施形態に係る共有ファイルの公開と参照との方法を示すフロー図
【図１８】本発明の実施形態に係るファイル共有グループの自動消滅方法を示すフロー図
【符号の説明】
【００９１】
１０    通信アンテナ
１１    近距離通信用物理通信インタフェース
１２    通信制御部
１３    ＴＣＰ／ＩＰプロトコル部
１４    ファイル共有プロトコル部
１５    ファイルシステム
１６    ファイル操作アプリケーション
１７    ファイル共有グループ操作アプリケーション
１８    ファイル共有グループデータベース
１９    表示部
２０    操作部
３０    ニックネームとキーワードの入力画面
４０    ファイル共有グループ選択画面
５０    ファイル共有許可選択画面
６０    ファイル共有グループメンバー確認画面
７０    ファイル共有グループ参加拒否画面
８０    ＩＰアドレス・ニックネーム対応テーブル
８１    ＩＰアドレス・ニックネーム対応テーブル
９０    公開ファイル・ＩＰアドレス対応テーブル
１００  参加グループ・ＩＰアドレス対照テーブル
１１０  共有ファイル公開・参照選択画面
１２０  公開フォルダ選択画面
１３０  フォルダ公開確認画面
１４０  共有ファイル公開・参照選択画面
１５０  ファイル参照先選択画面
１６０  ファイルアクセス拒否画面
【図１】
2007005921.tif 000003
【図２】
2007005921.tif 000004
【図３】
2007005921.tif 000005
【図４】
2007005921.tif 000006
【図５】
2007005921.tif 000007
【図６】
2007005921.tif 000008
【図７】
2007005921.tif 000009
【図８】
2007005921.tif 000010
【図９】
2007005921.tif 000011
【図１０】
2007005921.tif 000012
【図１１】
2007005921.tif 000013
【図１２】
2007005921.tif 000014
【図１３】
2007005921.tif 000015
【図１４】
2007005921.tif 000016
【図１５】
2007005921.tif 000017
【図１６】
2007005921.tif 000018
【図１７】
2007005921.tif 000019
【図１８】
2007005921.tif 000020